(57)【要約】      （修正有）【課題】回路基板と、ホルダと、上部カバーと、接続線と、インタフェースとを含むデータカードを提供する。【解決手段】回路基板はホルダ２１内に固定される。可撓接続線２５の一方の端は回路基板と接続され、可撓接続線の他方の端はインタフェース２４と接続される。上部カバー２３はホルダーを覆う。データカードが使用されていない場合、インタフェース及び可撓接続線は上部カバーとホルダとによって形成されたキャビティ内に配置される。データカードがインタフェースによって外部装置と接続される場合、インタフェースは上部カバーとホルダとによって形成されたキャビティの外部に配置される。このデータカードでは、インタフェースの位置の柔軟な調節が可能であり、かつ、データカードが使用のために接続されている場合、上部カバーがデータカード上に固定される。【選択図】図１２
2011175634.tif 000002
【特許請求の範囲】
【請求項１】
回路基板と、ホルダと、上部カバーと、接続線と、インタフェースとを備える、データカードであって、
前記ホルダに保護シェルが固定され、前記回路基板は前記保護シェルに固定され、前記接続線の一方の端は前記回路基板と接続され、前記接続線の他方の端は前記インタフェースと接続され、前記上部カバーはキャビティを形成するように前記ホルダを覆うことが可能であり、前記接続線を曲げることにより前記インタフェースを前記キャビティの内部に位置させ、前記接続線を伸ばすことにより前記インタフェースを前記キャビティの外部に位置させることを可能にする、データカード。
【請求項２】
シャフトユニットを更に備え、前記上部カバーは前記シャフトユニットを介して回転して前記ホルダと接続される、
請求項１に記載のデータカード。
【請求項３】
前記シャフトユニットは、シャフトと、第１の接続プレートと、第２の接続プレートとを備え、
前記第１の接続プレートの一方の端は前記シャフトにヒンジ結合され、前記第１の接続プレートの他方の端は前記ホルダに固定され、
前記第２の接続プレートの一方の端は前記シャフトにヒンジ結合され、前記第２の接続プレートの他方の端は前記上部カバーに固定される、
請求項２に記載のデータカード。
【請求項４】
第１のロックアップユニットが前記ホルダに設けられ、対応する第２のロックアップユニットが前記上部カバーに設けられ、
前記第１のロックアップユニットが前記第２のロックアップユニットと結合することにより、前記上部カバーが前記ホルダに留められることを可能にする、
請求項１に記載のデータカード。
【請求項５】
第１のロックアップユニットが前記ホルダに設けられ、対応する第２のロックアップユニットが前記上部カバーに設けられ、
前記第１のロックアップユニットが前記第２のロックアップユニットと結合することにより、前記上部カバーが前記ホルダ上に留められることを可能にする、
請求項２に記載のデータカード。
【請求項６】
前記第２のロックアップユニットは上部カバーリードであり、
前記第１のロックアップユニットは押しボタンユニットであり、前記押しボタンユニットは前記ホルダの溝の中を摺動し、
前記押しボタンユニットは、ボタンベースと、ボタンリードと、バネとを備え、
前記ボタンリードは前記ボタンベースに固定され、前記バネの一方の端は前記ボタンベースに対して付勢された状態で配置され、前記バネの他方の端は前記溝の端に対して付勢された状態で配置され、
前記押しボタンユニットは、前記上部カバーが前記ホルダを覆った後に前記ボタンリードのバーブが前記上部カバーリードのバーブと係合することにより、前記上部カバーが前記ホルダに留められることを可能にする、
請求項５に記載のデータカード。
【請求項７】
前記シャフトユニットは前記シャフトの周囲に配置された回転バネを備え、前記回転バネの一方の端は前記第１の接続プレートに対して付勢された状態で配置され、前記回転バネの他方の端は前記第２の接続プレートに対して付勢された状態で配置され、
第１のロックアップユニットが第２のロックアップユニットから切り離された後、前記回転バネが前記第１の接続プレートと、前記第２の接続プレートとに、スプリング力を付与することで前記上部カバーが自動的に開くことを可能にする、
請求項３に記載のデータカード。
【請求項８】
接続線ファスナが、前記接続線上の、前記インタフェースから離間された位置に設けられ、前記接続線ファスナが前記保護シェル内に収められる（ｓｈｅａｔｈｅｄ  ｉｎ）ことにより前記接続線が前記保護シェルに固定されることを可能にする、
請求項１に記載のデータカード。
【請求項９】
第３のロックアップユニットが前記インタフェースのシェルに設けられ、第４のロックアップユニットが前記保護シェルに設けられ、
前記第３のロックアップユニットが前記第４のロックアップユニットと結合することにより、前記インタフェースが前記保護シェルに固定される、
請求項１に記載のデータカード。
【請求項１０】
前記第３のロックアップユニットは前記シェルに固定された固定フックであり、
前記第４のロックアップユニットは前記保護シェルの上面に固定された固定リングであり
前記固定フックが前記固定リング内に挿入されることにより、前記インタフェースが前記保護シェルに固定される、
請求項９に記載のデータカード。
【請求項１１】
前記接続線は、可撓接続線である、
請求項１に記載のデータカード。
【請求項１２】
前記可撓接続線はバネ構造を有するか、又は、
前記可撓接続線は、縦続接続された、第１の可撓接続線と、スイベルベースと、第２の可撓接続線とを備え、前記第１の可撓接続線は、前記第２の可撓接続線と電気的に接続され、前記第２の可撓接続線は、前記第１の可撓接続線に対して前記スイベルベースを軸に回転する、
請求項１１に記載のデータカード。
【請求項１３】
前記データカードは、球状のデータカードである、
請求項１に記載のデータカード。
【発明の詳細な説明】
【技術分野】
【０００１】
本出願は、２０１０年１月２７日に出願された、中国特許出願第２０１０２０１０６７０３．Ｘ号の優先権を主張するものであり、当該出願は、その全体が参照によって本明細書中に援用される。
【０００２】
本発明は、電子装置に関し、特に、データカードに関する。
【背景技術】
【０００３】
現在、データカード（無線モデムなど）が広く使用されている。従来技術では、データカードは、ユニバーサルシリアルバス（ＵＳＢ）インタフェース、ＥＸＰＲＥＳＳインタフェース、及びパーソナルコンピュータメモリカード国際協会（ＰＣＭＣＩＡ）インタフェースなどの、コンピュータ及びデータカードに向けたインタフェースを用いて、ノートブックコンピュータ及びパーソナルコンピュータなどの、ユーザ装置（ＵＥ）と接続され、ＵＥとの間でデータの伝送又は処理を行う。
【０００４】
従来技術では、一般に、データカードのインタフェースがデータカード内の回路基板上に溶接されることにより、インタフェースが回路基板上のデータ処理モジュールと電気的に接続されるようになっている。データカードの不使用時には、インタフェースカバーによってインタフェースを覆うことで損傷から保護するようになっている。一方、データカードとＵＥとを接続する必要がある場合には、インタフェースカバーを取り外してインタフェースが露出されることにより、インタフェースをＵＥのインタフェースに挿入して、データカードをＵＥに接続することができるようになっている。
【発明の概要】
【発明が解決しようとする課題】
【０００５】
本発明を実施するプロセスにおいて、発明者は、従来技術における少なくとも以下の問題を見出した。従来技術におけるデータカードのインタフェースは、回路基板上に直接溶接されるため、インタフェースの位置を実際の状況に応じて移動できない。また、データカードがＵＥと接続された後、インタフェースカバーをデータカードに固定することができず、インタフェースカバーが紛失されやすい。
【課題を解決するための手段】
【０００６】
本発明は、従来技術におけるそれらの問題（データカード上のインタフェースが移動可能ではない、及び、データカードが接続されている場合、インタフェースカバーが紛失されやすい）を克服するデータカードを提供する。本明細書で提供されるデータカードでは、インタフェースの位置を柔軟に調節でき、かつ、データカードが接続されている場合、データカード上にインタフェースカバーが固定されるようになっている。
【０００７】
本発明は、回路基板と、ホルダと、上部カバーと、接続線と、インタフェースとを含む、データカードを提供する。回路基板はホルダに固定され、接続線の一方の端は回路基板と接続され、接続線の他方の端はインタフェースと接続され、上部カバーはキャビティを形成するようにホルダを覆い、接続線を引っ込めることによりインタフェースをキャビティの内部に位置させ、接続線を引き伸ばすことによりインタフェースをキャビティの外部に位置させることを可能にする。他の実施形態では、接続線を曲げることによりインタフェースをキャビティの内部に位置させ、接続線を伸ばすことによりインタフェースをキャビティの外部に位置させることを可能にする。
【発明の効果】
【０００８】
本実施形態において開示されるデータカードにおいては、インタフェースが接続線を介して回路基板と接続される。従って、データカードをＵＥに接続する場合、インタフェースの位置を必要に応じて調節することができる。よって、データカードの回路基板を保持するための部位が、ＵＥ上の他の装置の位置に干渉することがなく、データカードとＵＥとをインタフェースを用いて良好に接続することが可能である。データカードを使用しない時には、接続線とインタフェースとを上部カバーによって覆うことにより損傷から保護することができる。データカードをＵＥと接続する際には、上部カバーを開き、インタフェースを露出した状態でＵＥに接続し、上部カバーをデータカードのホルダに被せることができる。これにより、データカードが接続されている場合において、上部カバーが紛失されることがない。
【０００９】
本発明における、又は従来技術における技術的解決法をより明確にするために、以下では、本発明の実施形態、又は従来技術を説明するための、添付の図面について説明する。以下に説明する添付の図面は、例示的なものにすぎず、当業者は、創造的な活動なしに、そのような添付の図面から、他の図面を導き出すことが可能であることに留意されたい。
【図面の簡単な説明】
【００１０】
【図１】本実用新案の第１の実施形態におけるデータカードの分解図である。
【図２】本実用新案の第１の実施形態における、状態１にあるデータカードの構成を示す。
【図３】本実用新案の第１の実施形態における、状態２にあるデータカードの構成を示す。
【図４】本実用新案の第２の実施形態におけるデータカードの分解図である。
【図５】本実用新案の第２の実施形態におけるデータカード内のシャフトユニットの構成を示す。
【図６】本実用新案の第２の実施形態におけるデータカード内の第１のロックアップユニットの分解図である。
【図７】本実用新案の第２の実施形態におけるデータカード内の局所的な組立図である。
【図８Ａ】本実用新案の第２の実施形態におけるデータカード内の保護シェルの第１の概略図である。
【図８Ｂ】本実用新案の第２の実施形態におけるデータカード内の保護シェルの第２の概略図である。
【図９Ａ】本実用新案の第２の実施形態におけるデータカード内の接続線の第１の概略図である。
【図９Ｂ】本実用新案の第２の実施形態におけるデータカード内の接続線の第２の概略図である。
【図１０】本実用新案の第２の実施形態における、閉じられた状態にあるデータカードの構成を示す。
【図１１】本実用新案の第２の実施形態における、開かれた状態にあるデータカードの構成を示す。
【図１２】図１０に示したデータカードの、上部カバーが開かれた状態にある場合の構成を示す。
【図１３】図１１に示したデータカードの、上部カバーが開かれた状態にある場合の構成を示す。
【発明を実施するための形態】
【００１１】
本発明を完全に理解するために、添付の図面を参照して、以下の詳細な説明を行う。図面及び詳細な説明は、本発明の特定の実施形態を単に代表するものにすぎない。当業者によって、いかなる創造的活動もなしに、本明細書中で提供される実施形態から導き出されることが可能な、他の全ての実施形態は、本発明の範囲内に入る。
【００１２】
第１の実施形態
図１は、本発明の第１の実施形態におけるデータカードの分解図であり、図２は、本発明の第１の実施形態における状態１にあるデータカードの構成を示し、図３は、本発明の第１の実施形態における状態２にあるデータカードの構成を示す。図１、図２、及び図３に示すように、第１の実施形態で提供されるデータカードは、回路基板１２と、ホルダ１１と、上部カバー１３と、接続線１５と、インタフェース１４とを含む。図１におけるデータカードは、上から下へ、すなわち、ホルダ１１から上部カバー１３まで分解図で示されている。
【００１３】
回路基板１２はホルダ１１内に固定されている。接続線１５の一方の端は回路基板１２と接続され、接続線１５の他方の端はインタフェース１４と接続されている。上部カバー１３は、キャビティを形成するようにホルダ１１を覆っている。また、接続線１５を引き込むことによりインタフェース１４をキャビティの内部に位置させ、引き伸ばすことによりインタフェース１４をキャビティの外部に位置させることができる。他の実施形態では、接続線を曲げることによりインタフェースをキャビティの内部に位置させ、伸ばすことによりインタフェースをキャビティの外部に位置させることができる。
【００１４】
具体的には、この実施形態において、接続線１５を引き込む又は曲げることによって、接続線１５とインタフェース１４と、をホルダ１１内に固定された回路基板１２の表面上に配置させることができる。これにより、接続線１５とインタフェース１４を上部カバー１３とホルダ１１とによって形成されたキャビティ内に収容する。このようにして、インタフェース１４と接続線１５は、上部カバー１３とホルダ１１によってキャビティ内に包まれる。データカードを外部装置と接続する際には、上部カバー１３を最初に開き、接続線１５を引き伸ばし、インタフェース１４をキャビティから出し、次に、インタフェース１４を外部装置の対応するインタフェースに挿入することにより、データカードが外部装置に接続される。この場合、この実施形態においては、上部カバー１３が、インタフェース１４が取り出された後にホルダ１１を再び覆うことが可能になっているため、上部カバー１３を無作為に放置して上部カバー１３が紛失されることが防げる。このようにして、データカードが外部装置と接続された後でも、上部カバー１３がホルダ１１に固定されているために上部カバー１３の紛失が回避される。加えて、インタフェース１４が接続線１５を用いて回路基板１２と接続されるため、インタフェース１４が外部装置の対応するインタフェースに挿入された後、この実施形態におけるホルダ１１が、外部装置上の構成要素の位置関係に応じて接続線１５の長さを調節するようにしてもよい。従って、この実施形態におけるデータカードを適切な位置に置くことができる。このようにして、データカードの寸法と、外部装置の他の構成要素の位置との間の干渉に起因してデータカードが利用できないということが防げる。
【００１５】
図１〜図３に示すデータカードは、本質的に例示的である。この実施形態におけるデータカード内の構成要素の形状は、添付の図面に示された形状を含むが、それに限定されない。例えば、この実施形態におけるデータカードの形状は、球、立方体、又は十二面体であってもよい。
【００１６】
この実施形態におけるデータカードにおいては、接続線を用いてインタフェースと回路基板を接続する。従って、データカードがＵＥと接続される場合、インタフェースと回路基板との間の位置を必要に応じて調節できるため、データカード内に回路基板を保持するためのデータカードの部分が、ＵＥ上の他の装置の位置に干渉することを防止できる。よって、データカードを、インタフェースを用いて好都合にＵＥと接続することが可能である。データカードを使用しない場合は、接続線とインタフェースとを上部カバーによって覆って保護することができる。データカードをＵＥと接続する際には、上部カバーを開き、インタフェースが露出されてＵＥと接続した上で、上部カバーがデータカードのホルダを覆うことが可能である。従って、データカードが接続されている場合に、上部カバーが紛失されにくい。
【００１７】
第２の実施形態
図４は、本発明の第２の実施形態におけるデータカードの分解図である。図４は、第２の実施形態を示す。この実施形態におけるデータカードは、第１の実施形態に基づいているが、シャフトユニット２６を更に含む。この実施形態におけるデータカードにおいては、上部カバー２３をホルダ２１に好都合に結合するために、シャフトユニット２６を用いて上部カバー２３をホルダ２１と結合する。このようにして、上部カバーは、シャフトユニット２６を介してホルダと結合される。シャフトユニット２６の構成は、図５に示す通りである。
【００１８】
図５は、本発明の第２の実施形態におけるデータカード内のシャフトユニットの構成を示す。図５は、図４におけるシャフトユニット２６の構成を示す。図５に示すように、この実施形態におけるシャフトユニット２６は、シャフト２６３と、第１の接続プレート２６１と、第２の接続プレート２６２とを含む。第１の接続プレート２６１の一方の端はシャフト２６３にヒンジ結合され、第１の接続プレート２６１の他方の端はホルダ２１に固定され、第２の接続プレート２６２の一方の端はシャフト２６３にヒンジ結合され、第２の接続プレート２６２の他方の端は上部カバー２３に固定される。
【００１９】
具体的には、図４及び図５に示すように、上部カバー２３が、シャフトユニット２６を介してホルダ２１に結合され得るようになっている。これにより、上部カバー２３が、シャフト２６３を軸に回転することができる。上部カバー２３がシャフト２６３を軸に回転可能であることにより、上部カバー２３がホルダ２１を覆うことができる。このようにして、上部カバー２３はホルダ２１に対して回転し、上部カバー２３は紛失されにくくなる。結論として、上部カバー２３は、シャフトユニット２６を介してホルダ２１にヒンジ結合され、従って、上部カバー２３がホルダ２１に堅固に固定される。さらに、上部カバー２３を開く、又は閉じるために、上部カバー２３がシャフト２６３を軸に回転するため、ユーザの操作が容易になる。上部カバー２３が、以下の方法でシャフトユニット２６を介してホルダ２１に取り付けられる構成としてもよい。最初に、シャフトユニット２６の第１の接続プレート２６１がボルトを介してホルダ２１に固定され、次に、シャフトユニット２６の第２の接続プレート２６２がボルトを介して上部カバー２３に固定される。このようにして、上部カバー２３は、シャフトユニット２６を介してホルダ２１にヒンジ結合され、上部カバー２３がシャフト２６３を軸に回転できる。
【００２０】
第１の停止ブロック２６１１を、第１の接続プレート２６１とシャフト２６３との間の接合部に設け、第２の停止ブロック２６２１を、第２の接続プレート２６２とシャフト２６３との間の接合部に設けてもよい。これにより、上部カバー２３が開かれて、一定の角度まで上部カバー２３がシャフト２６３を軸に回転した場合、第１の停止ブロック２６１１が、第２の停止ブロック２６２１に係合して（ｐｒｏｐｓ）、上部カバー２３の回転を停止させる。このようにして、上部カバー２３の回転角は、効果的に制御される。
【００２１】
この実施形態におけるデータカードは、接続線を用いて、インタフェースと回路基板との間を移動可能とされている。従って、データカード内に回路基板を保持するためのデータカードの部分が、ＵＥ上の他の装置の位置に干渉することが防止される。その上、この実施形態における上部カバーは、シャフトユニットを介してホルダにヒンジ結合される。これにより、上部カバーは、シャフトユニット内のシャフトを軸に回転することができ、かつ、上部カバーは、ホルダにより堅固に固定されるようになる。更に、上部カバーがシャフトを軸に回転できるため、データカードを使用しない場合には、上部カバーを回転させ、ホルダ上の接続線とインタフェースとを好都合に覆うことが可能である。この実施形態におけるデータカードを周辺装置と接続する必要がある場合、上部カバーを回転させて開くことが可能であり、これにより、インタフェースが好都合に取り出される。インタフェースが取り出された後、上部カバーは逆に回転し、ホルダを覆うことができる。従って、上部カバーはシャフトユニットを用いてホルダと結合され、これにより、ユーザが上部カバーを開ける、又は閉じることが容易になる。
【００２２】
前述の技術的解決法に基づいて、必要に応じて、図４に示すように、第１のロックアップユニット２７を、この実施形態におけるデータカード内のホルダ２１に設け、これに対応して、第２のロックアップユニット２３１を、上部カバー２３に設けてもよい。上部カバー２３がホルダ２１を覆った後、第１のロックアップユニット２７が第２のロックアップユニット２３１と結合し、これにより、上部カバー２３がホルダ２１に留められる。具体的には、第１のロックアップユニット２７と、データカード上の第２のロックアップユニット２３１と、を結合することにより、上部カバー２３がシャフト２６３を軸に回転してホルダ２１を覆った後、上部カバー２３がホルダ２１に硬く固定されることを可能にし、また、上部カバー２３が外力によって誤って開かれるのを防止できる。これにより、上部カバー２３がホルダ２１を覆った後、上部カバー２３は、ホルダ２１に硬く固定される。この実施形態では、第１のロックアップユニット２７と、第２のロックアップユニット２３１とは、留め金又はベルト構成要素の形態で、共同して動作するようにしてもよい。第１のロックアップユニット２７及び第２のロックアップユニット２３１の形態は、本明細書では限定されない。
【００２３】
更に、図６は、本発明の第２の実施形態におけるデータカード内の第１のロックアップユニットの分解図であり、図７は、本発明の第２の実施形態におけるデータカード内の局所的な組立図である。図６及び図７に示すように、この実施形態における第２のロックアップユニット２３１は上部カバーリード（ｕｐｐｅｒ  ｃｏｖｅｒ  ｒｅｅｄ）で構成できる。第１のロックアップユニット２７は、ホルダ２１の溝２１１の中を摺動する押しボタンユニットである。押しボタンユニットは、ボタンベース２７１と、ボタンリード（ｂｕｔｔｏｎ  ｒｅｅｄ）２７２と、バネ２７３とを含む。ボタンリード２７２は、ボタンベース２７１に固定され、バネ２７３の一方の端はボタンベース２７１に対して付勢された状態で配置され（ｐｒｏｐｐｅｄ  ａｇａｉｎｓｔ）、バネ２７３の他方の端は溝２１１の端に対して付勢された状態で配置される。押しボタンユニットは、上部カバー２３がホルダ２１を覆った後に、ボタンリード２７２のバーブ（ｂａｒｂ）が上部カバーリードのバーブに係合するように構成され、これにより、上部カバー２３はホルダ２１に留められる。
【００２４】
具体的には、この実施形態における第１のロックアップユニット２７を押しボタンユニットとし、第２のロックアップユニット２３１を上部カバーリードとして構成できる。押しボタンユニットをホルダ２１に好都合に取り付けるために、ホルダ２１に溝２１１を設けてもよい。押しボタンユニットを組み立てる際に、最初に、ボタンベース２７１が溝２１１内に押し込まれる。ボタンベース２７１上にバーブを対称的に設けることにより、ボタンベース２７１が溝２１１から抜け出るのを防ぐことができる。すなわち、ボタンベース２７１上のバーブ２７１１が、ホルダ２１の内壁に押し付けられた状態で配置されて、ボタンベース２７１が溝２１１から抜け出るのを防止する。その後、ボタンリード２７２上の取り付け穴２７２２が、ボタンベース２７１の底部にある位置決めピン２７１２上に配置され、これにより、ボタンリード２７２は、ボタンベース２７１上に取り付けられる。溝２１１の端からは、ボタンリード２７２上のバーブ２７２１が突き出ている。最後に、バネ２７３が、ボタンベース２７１の端と、溝２１１の端とにより、それぞれ、付勢された状態で配置される。例えば、バネ２７３の位置を固定するために、バッフル２１１１が溝２１１の端に設けられる。加えて、第２のロックアップユニット２３１の上部カバーリードが上部カバー２３に固定される。上部カバー２３は、上部カバーリードのバーブ２３１１の一方の端から張り出している。上部カバー２３がホルダ２１を覆った後、上部カバーリードに取り付けられたバーブ２３１１が、ボタンリード２７２のバーブ２７２１と係合することにより、上部カバー２３は、ホルダ２１に留められる。上部カバー２３を開く際には、ユーザがボタンベース２７１を押すことにより、ボタンベース２７１がバネ２７３のスプリング力に打ち勝ち、ボタンリード２７２を溝２１１の端に設けられたバッフル２１１に向かって進むように駆動する。このようにして、ボタンリード２７２のバーブ２７２１が、上部カバーリード上のバーブから外され、ユーザが上部カバー２３を開くことが可能になる。
【００２５】
更に、図５に示すように、この実施形態におけるシャフトユニット２６は、回転バネ２６４を更に含んでもよい。回転バネ２６４は、シャフト２６３に巻き付けられている。回転バネ２６４の一方の端は、第１の接続プレート２６１に対して付勢された状態で配置され、回転バネ２６４の他方の端は、第２の接続プレート２６２に対して付勢された状態で配置される。回転バネ２６４は、第１の接続プレート２６１と、第２の接続プレート２６２とに対して、スプリング力を付与するように構成され、これにより、第１のロックアップユニット２７が第２のロックアップユニット２３１から切り離された後、上部カバー２３が自動的に開くようになる。具体的には、この実施形態における回転バネ２６３は、第１の接続プレート２６１と、第２の接続プレート２６２とに対して、スプリング力を付与することにより、上部カバー２３とホルダ２１との間に前述のスプリング力が付与された状態を保持できる。ユーザがボタンベース２７１を押した後、上部カバー２３の上部カバーリードがボタンリード２７２から外され、スプリング力に触発されて上部カバー２３が自動的に開き、ユーザは、データカードをより好都合に使用することができる。
【００２６】
この実施形態におけるデータカードでは、第１のロックアップユニットをホルダに設け、それに対応して第２のロックアップユニットを上部カバーに設けている。上部カバーがホルダを覆った後、第１のロックアップユニットが第２のロックアップユニットと結合されることで上部カバーがホルダに硬く固定されて、上部カバーが外力により誤って開かれることが防止される。第１のロックアップユニットは、押しボタンユニットであり、第２のロックアップユニットは、上部カバーリードである。従って、押しボタンユニット内のボタンリードは、上部カバーリードと共同で第１のロックアップユニット及び第２のロックアップユニットの機能を果たし、上部カバーをホルダに堅固に固定する。加えて、シャフトユニットに設けられた回転バネによって、上部カバーとホルダとの間にスプリング力が付与される。ユーザが押しボタンユニット内のボタンベースを押した後、上部カバーリードがボタンリードから外され、スプリング力に触発されて上部カバーが自動的に開き、ユーザは、データカードをより好都合に使用することができる。
【００２７】
前述の技術的解決法に基づいて、この実施形態におけるデータカードは、図４に示すように、保護シェル２８を、必要に応じて更に含んでもよい。保護シェル２８は、ホルダ２１に固定され、回路基板２２は、保護シェル２８とホルダ２１との間に配置される。
【００２８】
具体的には、図８Ａ及び図８Ｂに示すように、この実施形態における保護シェル２８は、へミング加工されたディスク構造（ｈｅｍｍｅｄ  ｄｉｓｋ  ｓｔｒｕｃｔｕｒｅ）を有してもよい。この実施形態における保護シェル２８は、ホルダ２１内に回路基板２２を封入するようになっている。これにより、回路基板２２が、保護シェル２８によって外部物から保護される。保護シェル２８に穴（図示せず）を設けることにより、接続線２５を回路基板２２と接続することができる。接続線２５は、この穴を通して回路基板２２と接続される。さらに、インタフェース２４と接続線２５とを、上部カバー２３とホルダ２１とによって形成されるキャビティ内に配置する必要がある場合、保護シェル２８を用いて、インタフェース２４と接続線２５とを保護シェル２８に配置してもよい。このようにして、回路基板２２が、インタフェース２４と接続線２５とから隔離され、インタフェース２４と接続線２５が回路基板２２上の電気部品を損傷することを防止できる。この実施形態においては、回路基板２２を最初に保護シェル２８に固定し、次に、保護シェル２８を、回路基板２２と共にホルダ２１に固定するようにしてもよい。あるいは、最初に、回路基板２２をホルダ２１に固定し、次に、保護シェル２８をホルダ２１に固定するようにしてもよい。
【００２９】
更に、図４に示すように、接続線ファスナ２９を、接続線２５の、インタフェース２４から離間された位置に設けてもよい。接続線ファスナは、保護シェル２８に留められる。具体的には、接続線ファスナ２９を接続線２５に設けることにより、接続線２５の回路基板２２と接続される端を保護シェル２８に堅固に固定し、かつ、データカードを使用する長い期間中に、接続線２５を頻繁に引き込むことによって接続線２５と回路基板２２との間の接合部が緩くなるのを防止することができる。接続線ファスナ２９は、接続線２５が回路基板２２と接続された後で、保護シェル２８に留められる。図８Ａに示すように、接続線ファスナ２９は、保護シェル２８の下面のスロット２８１に挿入されてもよく、保護シェル２８にヒンジ結合されてもよく、又は、保護シェル２８に固定されるようになっていてもよい。このようにして、接続線２５と回路基板２２との間の接合部が、過剰な引っ張り力に晒されることを防止できる。
【００３０】
更に、図４及び図８Ｂに示すように、第３のロックアップユニット２４２をインタフェース２４のシェル２４１に設け、第４のロックアップユニット２８２を保護シェル２８の上面に設けてもよい。第３のロックアップユニット２４２は、第４のロックアップユニット２８２と結合し、インタフェース２４を保護シェル２８に固定する。具体的には、インタフェース２４の第３のロックアップユニット２４２を、保護シェル２８の第４のロックアップユニット２８２と結合し、インタフェース２４を保護シェル２８に堅固に固定することにより、インタフェース２４が保護シェル２８に配置された後で、インタフェース２４を保護シェル２８に固定し、かつ、上部カバー２３がホルダ２１を好都合に覆うことができる。第３のロックアップユニット２４２と、第４のロックアップユニット２８２には、留め金又はベルト構成要素の形態を使用して共同して機能するようにしてもよい。第３のロックアップユニット２４２及び第４のロックアップユニット２８２の形態は本明細書では限定されない。例えば、第３のロックアップユニット２４２及び第４のロックアップユニット２８２の機能を好都合に実施するために、第３のロックアップユニット２４２を、シェル２４１に固定される固定フックとし、第４のロックアップユニット２８２を、保護シェル２８の上面に固定される固定リングとしてもよい。インタフェース２４を保護シェル２８に固定するために、固定フックが固定リング内に挿入される。詳細な使用法は次の通りである。インタフェース２４の固定フックが、保護シェル２８の固定リング内に直接挿入され、固定フックが固定リングに留められて、インタフェース２４を保護シェル２８に固定することができる。固定フックを固定リングから取り出すことにより、ユーザは、インタフェース２４を保護シェル２８から取り外すことができる。
【００３１】
この実施形態におけるデータカード内の接続線２５を、可撓接続線としてもよい。また、バネ構造を有する可撓接続線を使用してもよい。あるいは、可撓接続線は、縦続接続された、第１の可撓接続線と、スイベルベースと、第２の可撓接続線とを含むようにしてもよい。第１の可撓接続線は、第２の可撓接続線と電気的に接続され、第２の可撓接続線は、第１の可撓接続線に対して、スイベルベースを軸として回転する。可撓接続線の材料は、例えば、軟質プラスチックなどの、業界で一般に使用されている、自由に曲げられ、かつ引き込み可能な、可撓性材料であってもよいが、それに限定されない。
【００３２】
図９Ａは、本発明の第２の実施形態におけるデータカード内の接続線の第１の概略図である。図９Ａに示すように、この実施形態における接続線２５は、バネ構造の可撓接続線であり、これは、狭い外部装置にデータカードを取り付けることを容易にする。例えば、ユーザは、接続線２５を引っ張ってインタフェース２４を外部装置内に挿入することが可能であり、これにより、データカードのホルダ２１などの本体をより広い位置上に配置することができる。図９Ｂは、本発明の第２の実施形態におけるデータカード内の接続線の第２の概略図である。図９Ｂに示すように、この実施形態における接続線２５は、回転式の可撓接続線であって、縦続接続された、第１の可撓接続線２５１と、スイベルベース２５３と、第２の可撓接続線２５２とを含んでもよい。第１の可撓接続線２５１は、第２の可撓接続線２５２と電気的に接続されるようにしてもよく、第１の可撓接続線２５１と第２の可撓接続線２５２とを同じ導体で構成してもよい。第１の可撓接続線２５１は、回路基板２２と接続され、第２の可撓接続線２５２は、インタフェース２４と接続される。第２の可撓接続線２５２は、第１の可撓接続線２５１に対してスイベルベース２５３を軸に回転する。従って、ユーザは、接続線２５を回転させて、インタフェース２４を引き伸ばす、又は引っ込めることが可能である。
【００３３】
この実施形態における保護シェルは、回路基板をホルダ２１内に封入し、これにより、回路基板を外部の物体から保護する。そして、保護シェルは、インタフェースを回路基板から隔離して、インタフェースが回路基板を損傷するのを防止する。接続線ファスナを接続線上に固定し、保護シェル上に配置することにより、接続線と回路基板との間の接合部を保護することができる。このようにして、接続線と回路基板との間の接合部が、使用プロセス中に過剰な引っ張り力を受けることが防止され、接続線が、回路基板に堅固に接続される。第３のロックアップユニットを第４のロックアップユニットと結合することにより、インタフェースを保護シェルに固定し、上部カバーがホルダを覆うことを容易にする。接続線を、引き込み可能な、又は回転式の可撓接続線とすることにより、狭い外部装置にデータカードを取り付けることがより容易になり、データカードがより広範に適用可能になる。
【００３４】
上記の任意の実施形態において記載したインタフェースは、ＰＣＭＣＩＡインタフェース、ＵＳＢインタフェース、ＥＸＰＲＥＳＳインタフェース、又はコンパクトフラッシュ（登録商標）（ＣＦ）インタフェースであってもよいが、これらに限定されない。本発明におけるデータカードは、球状のデータカードであってもよく、例えば、フットボール様のデータカード、バスケットボール様のデータカード、又は球様のデータカードであってもよい。データカードの形状は、立方体、又は他の任意の立方構造であってもよい。データカードの形状は、本明細書では限定されない。
【００３５】
以下では、様々な状態におけるデータカードについて、添付の図面を参照して説明する。
【００３６】
図１０は、本発明の第２の実施形態における、閉じられた状態にあるデータカードの構成を示す。図１０に示すように、上部カバー２３はホルダ２１を覆っており、データカードは閉じられている。図１１は、本発明の第２の実施形態における、開かれた状態にあるデータカードの構成を示す。図１１に示すように、この実施形態における上部カバー２３は、やはりホルダ２１を覆っており、しかし、インタフェース２４は、可撓接続線２５を用いて、上部カバー２３とホルダ２１とによって形成されたキャビティから突き出ている。図１２は、図１０に示したデータカードの、上部カバーが開かれた状態にある場合の構成を示す。図１２に示すように、上部カバー２３は、ホルダ２１に対して回転して開かれている。可撓接続線２５を引っ込める、又は曲げることによって、インタフェース２４が保護シェル２８に配置され、第３のロックアップユニット２４２が第４のロックアップユニット２８２と結合されて、インタフェース２４が保護シェル２８に堅固に固定される。図１３は、図１１に示したデータカードの、上部カバーが開かれた状態にある場合の構成を示す。図１３に示すように、上部カバー２３は、ホルダ２１に対して回転して開かれている。可撓接続線２５の引き伸ばしによって、インタフェース２４は、上部カバー２３とホルダ２１とによって形成されたキャビティから突き出ており、外部装置との接続が容易になっている。
【００３７】
最後に、上記の実施形態は、本発明の技術的解決法を説明するために提供されたものにすぎず、本発明を限定することを意図するものではないということに留意されたい。当業者が、本発明の精神及び範囲から逸脱することなく、本発明に対して様々な修正及び変形を行うことが可能であることは明らかである。本発明は、それらの修正及び変形を、それらが添付の発明登録請求の範囲又はその均等物によって規定される保護範囲内に入るならば、包含することを意図するものである。
【図１】
2011175634.tif 000003
【図２】
2011175634.tif 000004
【図３】
2011175634.tif 000005
【図４】
2011175634.tif 000006
【図５】
2011175634.tif 000007
【図６】
2011175634.tif 000008
【図７】
2011175634.tif 000009
【図８Ａ】
2011175634.tif 000010
【図８Ｂ】
2011175634.tif 000011
【図９Ａ】
2011175634.tif 000012
【図９Ｂ】
2011175634.tif 000013
【図１０】
2011175634.tif 000014
【図１１】
2011175634.tif 000015
【図１２】
2011175634.tif 000016
【図１３】
2011175634.tif 000017
【外国語明細書】
2011175634000001.pdf